(57)【特許請求の範囲】
【請求項１】
無線通信システムの多重搬送波送信（ｍｕｌｔｉｃａｒｒｉｅｒ ｔｒａｎｓｍｉｓｓｉｏｎ）を支援するための端末の動作方法において、
ネットワーク進入の手順を行う際、基地局と多重搬送波能力（ｍｕｌｔｉｃａｒｒｉｅｒ ｃａｐａｂｉｌｉｔｙ）の交渉を遂行する過程と、
前記ネットワーク進入が完了した後、前記基地局により支援される搬送波についての、前記基地局により周期的にブロードキャストされる、構成情報を受信する過程と、
前記基地局により支援される搬送波についての受信された前記構成情報に基づいて、前記端末により支援される搬送波を決定する過程と、
前記端末により支援される搬送波上（ｏｎ  ｃａｒｒｉｅｒｓ）の情報を含む第１制御メッセージを前記基地局に送信する過程と、
前記基地局から多重搬送波動作のための、前記端末により支援される搬送波についての情報に基づいて、割り当てられた（ａｓｓｉｇｎｅｄ）少なくとも一つ以上の搬送波のインデックス情報を含む第２制御メッセージを受信する過程と、を含む
ことを特徴とする動作方法。
【請求項２】
無線通信システムの多重搬送波送信を支援するための基地局の動作方法において、
ネットワーク進入の手順を行う際、端末と多重搬送波能力の交渉を遂行する過程と、
前記基地局により支援される全ての搬送波についての構成情報を周期的にブロードキャストする過程と、
前記ネットワーク進入が完了した後、前記端末により支援される搬送波についての情報を含む第１制御メッセージを前記端末から受信する過程と、
多重搬送波動作のための少なくとも一つ以上の搬送波を、前記端末により支援される搬送波についての情報に基づいて、割り当てる（ａｓｓｉｇｎｉｎｇ）過程と、
前記割り当てられた一つ以上の搬送波のインデックス情報を含む第２制御メッセージを前記端末に送信する過程と、を含み、
前記端末により支援される搬送波は、前記基地局により支援される全ての搬送波についての構成情報に基づいて決定される
ことを特徴とする動作方法。
【請求項３】
無線通信システムの多重搬送波送信を支援するための端末装置において、
ネットワーク進入の手順の際、基地局と多重搬送波能力の交渉を遂行する制御部と、
前記ネットワーク進入が完了した後、前記基地局により支援される搬送波についての、前記基地局により周期的にブロードキャストされる、構成情報を受信する受信部と、
前記多重搬送波の動作モードを支援する際、前記端末装置により支援される搬送波についての情報を含む第１制御メッセージを前記基地局に送信する送信部と、を含み、
前記制御部は、前記第１制御メッセージを送信する前に、前記基地局により支援される搬送波についての受信された前記構成情報に基づいて、前記端末装置により支援される搬送波を決定し、
前記受信部は、前記基地局から多重搬送波動作のための、前記端末装置により支援される搬送波についての情報に基づいて、割り当てられた少なくとも一つ以上の搬送波のインデックス情報を含む第２制御メッセージを受信する
ことを特徴とする装置。
【請求項４】
無線通信システムにおける多重搬送波送信を支援するための基地局装置において、
ネットワーク進入の手順の際、端末と多重搬送波能力の交渉を遂行する制御部と、
前記基地局装置により支援される全ての搬送波についての構成情報を周期的にブロードキャストする送信部と、
前記ネットワーク進入が完了した後、前記端末により支援される搬送波についての情報を含む第１制御メッセージを前記端末から受信する受信部と、を含み、
前記制御部は、前記端末により支援される搬送波についての情報に基づいて、多重搬送波動作のための一つ以上の搬送波を割り当てし、
前記送信部は、前記割り当てられた一つ以上の搬送波の情報を含む第２制御メッセージを前記端末に送信すし、
前記端末により支援される搬送波は、前記基地局装置により支援される全ての搬送波についての構成情報に基づいて決定される
ことを特徴とする装置。
【請求項５】
前記第１制御メッセージは、
端末が支援する多重搬送波送信モード情報、端末が支援可能な搬送波の個数情報、端末が支援可能な帯域量情報、端末が支援可能な搬送波間の間隔及び前記搬送波に対する構成情報の受信可否を知らせる指示子情報のうち少なくとも一つ以上を含む
ことを特徴とする請求項１或いは請求項２に記載の動作方法。
【請求項６】
前記第２制御メッセージは、
前記基地局が前記端末に割り当てた多重搬送波動作のための搬送波のインデックス情報及び前記割り当てた多重搬送波動作のための搬送波を使用する開始時点情報を少なくとも一つ以上を含む
ことを特徴とする請求項１或いは請求項２に記載の動作方法。
【請求項７】
前記多重搬送波動作のための少なくとも一つ以上の搬送波に対する構成情報を利用してデータの送受信を準備する過程と、
前記多重搬送波動作のための少なくとも一つ以上の搬送波に対する準備指示子を前記基地局に送信する過程と、を更に含む
ことを特徴とする請求項１に記載の動作方法。
【請求項８】
前記搬送波に対する構成情報は、搬送波の中心周波数（ｃｅｎｔｅｒ ｆｒｅｑｕｅｎｃｙ）、搬送波の帯域幅、搬送波のオフセット（ｏｆｆｓｅｔ）のうち少なくとも一つ以上の情報を含む
ことを特徴とする請求項１或いは請求項２に記載の動作方法。
【請求項９】
前記多重搬送波動作のための少なくとも一つ以上の搬送波に対する準備指示子を前記端末から受信する過程を更に含む
ことを特徴とする請求項２に記載の動作方法。
【請求項１０】
前記制御部は、
前記多重搬送波動作のための少なくとも一つ以上の搬送波に対する構成情報を利用してデータの送受信を準備し、
前記多重搬送波動作のための少なくとも一つ以上の搬送波に対する準備指示子を前記基地局に送信する
ことを特徴とする請求項３に記載の装置。
【請求項１１】
前記多重搬送波動作のための少なくとも一つ以上の搬送波に対する準備指示子を前記端末から受信する
ことを特徴とする請求項４に記載の装置。
【請求項１２】
前記第１制御メッセージは、
前記端末が支援する多重搬送波送信モード情報、前記端末が支援可能な搬送波の個数情報、前記端末が支援可能な帯域量情報、前記端末が支援可能な搬送波間の間隔及び前記搬送波の前記構成情報の受信可否を知らせる指示子情報のうち少なくとも一つ以上を含む
ことを特徴とする請求項３または請求項４に記載の装置。
【請求項１３】
前記第２制御メッセージは、
前記基地局が前記端末に割り当てた多重搬送波動作のための搬送波のインデックス情報及び前記割り当てた前記多重搬送波動作のための搬送波を使用する開始時点情報のうち少なくとも一つ以上を含む
ことを特徴とする請求項３または請求項４に記載の装置。
【請求項１４】
前記搬送波の前記構成情報は、
前記搬送波の中心周波数または前記搬送波の帯域幅または前記搬送波のオフセットのうち少なくともいずれか一つに関する情報を含む
ことを特徴とする請求項３または請求項４に記載の装置。
【発明の詳細な説明】
【背景技術】
【０００１】
本発明は無線通信システムに関するものであり、特にオーバレイモードを支援するための多重周波数割当（Ｆｒｅｑｕｅｎｃｙ  Ａｓｓｉｇｎｍｅｎｔ：以下、「ＦＡ」と称する）の構成情報を処理する方法及びその装置に関するものである。
【０００２】
無線通信システムの発展に連れ、前記無線通信システムで提供されるべきサービスの種類及びトラフィックの量が多くなっている。このようなニーズを満足させるため、多くの無線通信技術が提案されており、この中で、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、「ＯＦＤＭ」と称する）又は直行周波数分割多重接続（Ｏｒｔｈｏｇｏｎａｌ  Ｆｒｅｑｕｅｎｃｙ  Ｍｕｌｔｉｐｌｅ  Ａｃｃｅｓｓ：以下、「ＯＦＤＭＡ」と称する）技法は、現在最も有力な次世代無線通信技術として研究されている。ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６系列のＷＭＡＮ（Ｗｉｒｅｌｅｓｓ  Ｍｅｔｒｏｐｏｌｉｔａｎ  Ａｒｅａ  Ｎｅｔｗｏｒｋ）でも、ＯＦＤＭ又はＯＦＤＭＡ技術を標準規格として採択している。
【０００３】
一方、無線通信システムにおける周波数資源は限られているため、使用可能な周波数帯域も同じく限られている。無線通信システムは、規格などを変更し、従来のシステムに比べ高速のデータをサービスし、かつ、具現上の課題を解決するなど、進化しつつある。このような進化の過程において、従来のシステムとの交換性の程度によって多様なシステムが同じ地域内に共存することができる。
【０００４】
図１は、従来技術による無線通信システムにおいて、単一周波数帯域を支援する構造と二つの周波数帯域を支援する構造を概略的に示す図である。
【０００５】
図１を説明する前に、無線通信システム、特に、ＩＥＥＥ８０２．１６で代表される広帯域無線通信システムにおいて、基地局（Ｂａｓｅ  Ｓｔａｔｉｏｎ：ＢＳ）は一つの運用周波数（Ｆｒｅｑｕｅｎｃｙ  Ａｓｓｉｇｎｍｅｎｔ：以下、「ＦＡ」と称する）或いは二つ以上のＦＡを運用する。そして、前記基地局は自らが運用するＦＡを介して移動局（Ｍｏｂｉｌｅ  Ｓｔａｔｉｏｎ：ＭＳ）に無線チャンネルを提供する。
【０００６】
前記図１を参照すると、移動局１００はＦＡ１領域１２０に位置してからＦＡ２領域１４０に移動してもよい（ＦＡ間のハンドオーバと称する）。ここで、前記ＦＡ１領域１２０は、前記移動局１００がＦＡ１を使用して無線通信サービスを提供されるサービス領域を意味し、前記ＦＡ２領域１４０は、前記移動局１００がＦＡ２を使用して無線通信サービスを提供されるサービス領域を意味する。この際、前記ＦＡ１領域１２０に位置する移動局１００が一つのＦＡのみを運用し得るか、ＦＡ１，ＦＡ２が互いに異なる基地局によって運用されている場合、前記移動局１００はＦＡ間のハンドオーバを行い、これによってＦＡ２を使用して無線チャンネルを提供されるようになる。
【０００７】
これとは異なって、高速のデータ転送を行うため、移動局１５０は少なくとも二つ以上のＦＡを運用し得るか前記少なくとも二つ以上のＦＡが一つの基地局によって運用されている場合、前記移動局１５０は前記ＦＡ１領域１６０及びＦＡ２領域乃至ＦＡ＿ｎ１８０全てにおいて無線チャンネルを提供されてもよい。このように、多数のＦＡ（ＦＡ＿１乃至ＦＡ＿ｎ）を利用し、移動局と基地局は高速及び大容量のデータを送受信することができる。以下、新たに周波数帯域を割り当てず従来の多数のＦＡを利用する技術を周波数オーバレイ（Ｆｒｅｑｕｅｎｃｙ  Ｏｖｅｒｌａｙ）と称する。しかし、無線通信システムにおける周波数オーバレイを支援する全てのＦＡに対する情報（例：ＦＡの中心周波数、ＦＡの帯域幅、ＦＡのオフセットなど）を共有しなければならない。
【０００８】
従って、無線通信システムにおける周波数オーバレイを支援する多数のＦＡに対する構成情報を効率的に処理するための方法及び装置が必要となる。
【先行技術文献】
【特許文献】
【０００９】
【特許文献１】米国特許出願公開第２００９−００１６４１２号明細書
【特許文献２】米国特許出願公開第２００７−００４７４３１号明細書
【特許文献３】特開２００７−２５９０４４号公報
【特許文献４】特開２００５−１６７５０２号公報
【発明の概要】
【発明が解決しようとする課題】
【００１０】
本発明の目的は、無線通信システムにおける周波数オーバレイを支援するための方法及び装置を提供することにある。
【００１１】
本発明の他の目的は、無線通信システムにおける周波数オーバレイを支援する多数のＦＡに対する構成情報を効率的に処理するための方法及び装置を提供することにある。
【課題を解決するための手段】
【００１２】
上述した目的を達成するための本発明の第１見地によると、無線通信システムにおける多重搬送波転送（ｍｕｌｔｉｃａｒｒｉｅｒ  ｔｒａｎｓｍｉｓｓｉｏｎ）を支援するための端末動作の方法において、ネットワーク進入の手順を行う間、基地局と多重搬送波動作を交渉する過程と、前記基地局から利用可能な搬送波（ａｖａｉｌａｂｌｅ  ｃａｒｒｉｅｒ）に対する構成情報（ｃｏｎｆｉｇｕｒａｔｉｏｎ  ｉｎｆｏｒｍａｔｉｏｎ）を受信する過程と、前記多重搬送波動作のための少なくとも一つ以上の搬送波インデックスを決定する過程と、前記少なくとも一つ以上の搬送波インデックスに対応する構成情報を検索する過程と、を含むことを特徴とする。
【００１３】
上述した目的を達成するための本発明の第２見地によると、無線通信システムにおける多重搬送波転送を支援するための基地局動作の方法において、ネットワーク進入の手順を行う間、端末と多重搬送波動作を交渉する過程と、前記端末に利用可能な搬送波に対する構成情報を放送する過程と、前記少なくとも一つ以上の搬送波インデックスに対応する構成情報を検索する過程と、を含むことを特徴とする。
【００１４】
上述した目的を達成するための本発明の第３見地によると、無線通信システムにおける多重搬送波転送を支援するための端末動作の方法において、ネットワーク進入の手順を行う間、基地局と多重搬送波動作を交渉する過程と、前記基地局から利用可能な搬送波に対する構成情報を受信する過程と、前記基地局に利用可能な前記多重搬送波動作のための少なくとも一つ以上のアクティブ（ａｃｔｉｖｅ）搬送波インデックスを受信する過程と、前記オーバレイモードのための少なくとも一つ以上の前記アクティブ搬送波インデックスに対応する構成情報を検索する過程と、を含むことを特徴とする。
【００１５】
上述した目的を達成するための本発明の第４見地によると、無線通信システムにおける多重搬送波転送を支援するための基地局動作の方法において、ネットワーク進入の手順を行う間、端末と多重搬送波動作を交渉する過程と、前記端末に利用可能な搬送波に対する構成情報を放送する過程と、前記端末から前記利用可能な反動はに対する構成情報を受信したことを通報するメッセージを受信する過程と、前記端末に前記多重搬送波動作のための少なくとも一つ以上のアクティブ搬送波インデックスを指示する過程と、前記多重搬送波動作のための少なくとも一つ以上の前記アクティブ搬送波インデックスに対応する構成情報を検索する過程と、を含むことを特徴とする。
【００１６】
上述した目的を達成するための本発明の第５見地によると、無線通信システムにおける多重搬送波転送を支援するための動作の方法において、ネットワーク進入の手順を行う間、基地局と端末が多重搬送波動作を交渉する過程と、前記端末が、前記多重搬送波動作のためのなくとも一つ以上の搬送波インデックスを決定する過程と、前記重搬送波動作のためのなくとも一つ以上の搬送波インデックスに対応する構成情報を搬送波構成情報テーブルを利用して検索する過程と、を含むことを特徴とする。
【００１７】
上述した目的を達成するための本発明の第６見地によると、無線通信システムにおける多重搬送波転送を支援するための無線通信システムにおいて、ネットワーク進入の手順を行う間、基地局と多重搬送波動作を交渉した後、前記基地局から利用可能な搬送波に対する構成情報を受信する過程と、前記多重搬送波動作のための少なくとも一つ以上の搬送波インデックスを決定する端末と、前記利用可能な搬送波に対する構成情報を方法し、前記多重搬送波のための少なくとも一つ以上の搬送波インデックスを割り当て、前記オーバレイモードのための少なくとも一つ以上の搬送波インデックスに対応する構成情報を検索する基地局と、を含むことを特徴とする。
【００１８】
上述した目的を達成するための本発明の第７見地によると、無線通信システムにおける多重搬送波転送を支援するための端末動作の方法において、ネットワーク進入の手順を行う際、多重搬送波動作支援のための第１制御メッセージを基地局に転送する過程と、前記基地局から前記多重搬送波動作のための少なくとも一つ以上の割り当てられた搬送波のインデックス情報を含む第２制御メッセージを受信する過程と、前記基地局からオーバレイモードのための少なくとも一つ以上の割り当てられたＦＡのインデックスに対応する搬送波に対する構成情報を検索する過程と、を含むことを特徴とする。
【００１９】
上述した目的を達成するための本発明の第８見地によると、無線通信システムにおける多重搬送波転送を支援するための端末動作の方法において、ネットワーク進入の手順を行う際、多重搬送波動作支援の可否を知らせる第１制御メッセージを基地局に転送する過程と、前記多重搬送波動作支援の際、前記基地局から前記多重搬送波動作のための少なくとも一つ以上の使用可能な搬送波のインデックス情報を含む第２制御メッセージを基地局に転送する過程と、前記基地局から多重搬送波動作のための少なくとも一つ以上の割り当てられた搬送波のインデックス情報を含む第３制御メッセージを受信する過程と、前記基地局からオーバレイモードのための少なくとも一つ以上の割り当てられた搬送波のインデックスに対応する搬送波に対する構成情報を検索する過程と、を含むことを特徴とする。
【００２０】
上述した目的を達成するための本発明の第９見地によると、無線通信システムにおける多重搬送波転送を支援するための基地局動作の方法において、ネットワーク進入の手順を行う際、多重搬送波動作支援のための第１制御メッセージを端末から受信する過程と、前記第２制御メッセージに基づいて多重搬送波動作のための少なくとも一つ以上の搬送波を選択する過程と、前記選択された搬送波のインデックス情報を含む第２制御メッセージを前記端末に送信する過程と、を含むことを特徴とする。
【００２１】
上述した目的を達成するための本発明の第１０見地によると、無線通信システムにおける多重搬送波転送を支援するための基地局動作の方法において、ネットワーク進入の手順を行う際、多重搬送波動作支援の可否を知らせる第１制御メッセージを端末から受信する過程と、前記多重搬送波動作支援の際、前記基地局から前記多重搬送波動作のための少なくとも一つ以上の割り当てられた搬送波のインデックス情報を含む第２制御メッセージを前記端末から受信する過程と、前記第２制御メッセージに基づいて多重搬送波動作のための少なくとも一つ以上の搬送波を選択する過程と、前記選択された搬送波のインデックス情報を含む第３制御メッセージを前記端末に送信する過程と、を含むことを特徴とする。
【００２２】
上述した目的を達成するための本発明の第１１見地によると、無線通信システムにおける多重搬送波転送を支援するための端末動作の方法において、ネットワーク進入の手順を行う際、基地局と多重搬送波動作を交渉する過程と、前記基地局と多重搬送波動作モードを支援する際、前記端末が支援する全ての多重搬送波構成（ｍｕｌｔｉｃａｒｒｉｅｒ  ｃｏｎｆｉｇｕｒａｔｉｏｎｓ）に対する情報を含む第１制御メッセージを基地局に転送する過程と、前記基地局から多重搬送波動作のための少なくとも一つ以上の割り当てられた（ａｓｓｉｇｎｅｄ）搬送波のインデックス情報を含む第２制御メッセージを受信する過程と、前記基地局から多重搬送波動作のための少なくとも一つ以上の割り当てられた搬送波のインデックスに対応する搬送波に対する構成情報を検索する過程と、を含むことを特徴とする方法。
【００２３】
上述した目的を達成するための本発明の第１２見地によると、無線通信システムにおける多重搬送波転送を支援するための基地局動作の方法において、ネットワーク進入の手順を行う際、端末と多重搬送波動作を交渉する過程と、前記端末と多重搬送波動作モードを支援する際、前記端末が支援する全ての多重搬送波構成に対する情報を含む第１制御メッセージを前記端末から受信する過程と、前記第１制御メッセージに基づいて多重搬送波動作のための少なくとも一つ以上の搬送波を選択する過程と、前記選択された搬送波のインデックス情報を含む第２制御メッセージを前記端末に送信する過程と、を含むことを特徴とする。
【００２４】
上述した目的を達成するための本発明の第１３見地によると、無線通信システムにおける多重搬送波転送を支援するためのシステムにおいて、ネットワーク進入の手順を行う際、基地局と多重搬送波動作を交渉した後、前記基地局と多重搬送波動作モードを支援する際、前記端末が支援する全ての多重搬送波構成に対する情報を含む第１制御メッセージを基地局に転送し、前記基地局から多重搬送波動作のための少なくとも一つ以上の割り当てられた搬送波インデックス情報を含む第２制御メッセージを受信する端末と、前記第１制御メッセージに基づいて多重搬送波動作のための少なくとも一つ以上の割り当てられた搬送波を前記端末に転送する前記基地局と、を含むことを特徴とする。
【図面の簡単な説明】
【００２５】
【図１】従来技術による無線通信システムにおいて、単一周波数帯域を支援する構造と二つの周波数帯域を支援する構造を概略的に示す図である。
【図２】本発明の実施例による無線通信システムにおけるオーバレイモードを支援するための端末の機能を示すブロック図である。
【図３】本発明の実施例による無線通信システムにおけるオーバレイモードを支援するための基地局の機能を示すブロック図である。
【図４】本発明の第１実施例による無線通信システムにおけるオーバレイモードを支援するための端末の動作を示すフローチャートである。
【図５】本発明の第１実施例による無線通信システムにおけるオーバレイモードを支援するための基地局の動作を示すフローチャートである。
【図６】本発明の第２実施例による無線通信システムにおけるオーバレイモードを支援するための端末の動作を示すフローチャートである。
【図７】本発明の第２実施例による無線通信システムにおけるオーバレイモードを支援するための基地局の動作を示すフローチャートである。
【図８】本発明の第１実施例による無線通信システムにおけるオーバレイモードを支援するためのフローチャートである。
【図９】本発明の第２実施例による無線通信システムにおけるオーバレイモードを支援するためのフローチャートである。
【図１０】本発明の第３実施例による無線通信システムにおけるオーバレイモードを支援するためのフローチャートである。
【図１１】本発明の第４実施例による無線通信システムにおけるオーバレイモードを支援するためのフローチャートである。
【図１２】本発明の第５実施例による無線通信システムにおけるオーバレイモードを支援するためのフローチャートである。
【図１３】本発明の第６実施例による無線通信システムにおけるオーバレイモードを支援するためのフローチャートである。
【発明を実施するための形態】
【００２６】
以下、本発明の好ましい実施例を添付した図面の参照と共に詳細に説明する。そして、本発明を説明するに当たって、関連する公知機能又は構成に対する具体的な説明が本発明の要旨を不明確にする恐れがあると判断される場合、その詳細な説明は省略する。そして、後述する用語は本発明における機能を考慮して定義された用語であり、これは使用者、操作者の意図又は慣例などによって異なり得る。従って、その定義は本明細書全般にかかる内容に基づいて下されるべきである。 
【００２７】
以下、本発明は、無線通信システムにおけるオーバレイモードを支援する多数運用周波数に対するそれぞれの構成情報を処理するための方法及び装置について説明する。
【００２８】
下記で本発明の実施例を具体的に説明するに当たって、移動局と基地局が多数個のＦＡを利用して信号を送受信するモードを「オーバレイ」モードと称する。そして、前記オーバレイモードで動作する無線通信システムを「オーバレイ通信システム」と称する。
【００２９】
図２は、本発明の実施例による無線通信システムにおけるオーバレイモードを支援するための端末のブロック図を示す図である。
【００３０】
前記図２を参照すると、端末は、制御部２００、第１ＭＡＣ処理部２０２−１乃至第ｎＭＡＣ処理部２０２−ｎ、第１送受信モデム２０４−１乃至第ｎ送受信モデム２０４−ｎ、多重化機／逆多重化機２０６及びＲＦ送受信部２０８を含んで構成される。
【００３１】
制御部２００は、前記端末の全般的な動作を制御する。即ち、前記制御部２００はネットワーク進入の手順を行う際、決定されたオーバレイのためのＦＡインデックス及び放送チャンネルを介して獲得された全てのＦＡに対する構成情報を利用し、オーバレイモード設定を制御する。言い換えると、放送チャンネルを介して獲得された全てのＦＡに対する構成情報から決定されたオーバレイのためのＦＡインデックスに該当する構成情報を決定し、これを利用してオーバレイモードを設定する。そして、前記制御部２００は各種制御信号（プリアンブル、ＦＣＨ、ＭＡＰなど）の生成及び転送を制御し、データ送受信の手順を制御する。制御部２００は上位階層（例：ＩＰ階層）から送信データを第１ＭＡＣ処理部２０２−１乃至第ｎＭＡＣ処理部２０２−ｎで処理するように制御するか、或いは第１ＭＡＣ処理部乃至第ｎＭＡＣ処理部からのＭＡＣ階層データを上位階層に伝達することを制御する。
【００３２】
第１ＭＡＣ処理部２０２−１は、前記制御部２００の制御に応じて上位階層（例：ＩＰ階層）から送信データをＭＡＣ階層処理し、第１送受信モデム２０４−１に伝達する。また、前記第１ＭＡＣ処理部２０２−１は、シグナリングに必要な制御メッセージを生成及び解釈する機能を行う。例えば、前記第１ＭＡＣ処理部２０２−１は、前記制御部２００の制御の下決定されたオーバレイモードのためのＦＡに対する準備指示子情報を生成する。第２実施例によって、第１ＭＡＣ処理部２０２−１は全てのＦＡに対する構成情報を受信した後、これによるＡＣＫメッセージを生成し、ａｃｔｉｖｅ  ＦＡに対する準備指示子情報を生成する。
【００３３】
そして、第１ＭＡＣ処理部２０２−１は、前記制御部２００の制御に応じて第１送受信モデム２０４−１からのデータをＭＡＣ階層処理し、上位階層に伝達する。また、前記第１ＭＡＣ処理部２０２−１は、基地局から受信された全てのＦＡに対する構成情報を含む放送メッセージ及びオーバレイモードのためのＦＡに対する情報を含む制御メッセージを解釈し、制御部２００に提供する。第２実施例によって前記基地局からａｃｔｉｖｅ  ＦＡに対する指示メッセージを解釈し、制御部２００に提供する。
【００３４】
前記第１送受信モデム２０４−１は、送信モードの際前記第１ＭＡＣ処理部２０２−１からのデータ（バーストデータ）を前記制御部２００の制御の下物理階層インコーディイングして出力する。前記第１送受信モデム２０４−１は、受信モードの際前記逆多重化機２０６からの信号を物理階層デコーディングして出力する。
【００３５】
例えば、第１送受信モデム２０４−１は、チャンネル符号ブロック、変調ブロックなどを含んで構成され、前記第１ＭＡＣ処理部２０２−１からの信号を基底帯域変調して出力する。ここで、チャンネル符号ブロックは、チャンネルインコーダ（ｃｈａｎｎｅｌ  ｅｎｃｏｄｅｒ）、インターリーバ（ｉｎｔｅｒｌｅａｖｅｒ）及び変調機（ｍｏｄｕｌａｔｏｒ）などから構成され、前記変調ブロックは、送信データを多数の直交する副搬送波に乗せるためのＩＦＦＴ（Ｉｎｖｅｒｓｅ  Ｆａｓｔ  Ｆｏｕｒｉｅｒ  Ｔｒａｎｓｆｏｒｍ）演算機などから構成されてもよい。そして、ＯＦＤＭＡシステムを仮定する場合、第１送受信モデム２０４−１は、前記変調ブロックは各副搬送波に乗せられたデータを抽出するためのＦＦＴ演算機などから構成され、前記チャンネル復号ブロックは、復調機（ｄｅｍｏｄｕｌａｔｏｒ）、デインターリーバ（ｄｅｉｎｔｅｒｌｅａｖｅｒ）、チャンネルデコーダ（ｃｈａｎｎｅｌ  ｄｅｃｏｄｅｒ）などから構成されてもよい。
【００３６】
前記第１ＭＡＣ処理部２０２−１と前記第１送受信モデム２０４−１はＦＡ１による通信を行うための構成であり、前記制御部２００の制御の下動作される。一方、第ｎＭＡＣ処理部２０２−ｎと前記第ｎ送受信モデム２０４−ｎはＦＡ＿ｎによる通信を行うための構成であり、前記制御部２００の制御の下動作される。オーバレイモードで使用されるＦＡの個数は、前記制御部２００によって決定される。
【００３７】
多重化機２０６は、前記第１送信モデム２０４−１からの信号乃至前記第ｎ送受信モデム２０４−ｎからの信号を多重化して出力する。そして、逆多重化機２０６は、前記制御部２００の制御の下ＲＦ受信部２０８からの信号を第１送受信モデム２０４−１乃至第ｎ送受信モデム２０４−ｎに同時に伝達するか、第１送受信モデム２０４−１乃至第ｎ送受信モデム２０４−ｎのうち選択された一つ或いは一部に出力する。
【００３８】
前記ＲＦ送信部２０８は、前記多重化機２０６からの信号を実際に転送可能なＲＦ帯域の信号に変換し、アンテナを介して送信する。そして、ＲＦ受信部２０８は、アンテナを介して受信された信号を基底帯域信号に変換して出力する。
【００３９】
一方、前記第１送受信モデム２０４−１乃至前記第ｎ送受信モデム２０４−ｎで行われる物理階層インコーディング方式は類似しているため、実際に前記第１送受信モデム２０４−１乃至前記第２送受信モデム２０４−２を一つの装置として具現してもよい。
【００４０】
図３は、本発明の実施例による無線通信システムにおけるオーバレイモードを支援するための基地局の機能を示すブロック図である。
【００４１】
前記図３を参照すると、基地局はＲＦ送受信部３００、多重化機／逆多重化機３０２、第１送受信モデム３０４−１乃至第ｎ送受信モデム３０４−ｎ、第１ＭＡＣ処理部３０６−１乃至第ｎＭＡＣ処理部３０６−ｎ及び制御部３０８を含んで構成される。
【００４２】
前記制御部３０８は、前記基地局の全般的な動作を制御する。即ち、前記制御部３０８は、ネットワーク進入の手順を行う際、該当端末とオーバレイモードのためのＦＡを決定し、オーバレイモード動作を制御する。前記制御部３０８は上位階層（例：ＩＰ階層）から送信データを第１ＭＡＣ処理部乃至第ｎＭＡＣ処理部で処理するように制御するか、或いは第１ＭＡＣ処理部乃至第ｎＭＡＣ処理部からのＭＡＣ階層データを上位階層に伝達することを制御する。
【００４３】
また、前記制御部３０８は、ネットワーク進入の手順を行う間、オーバレイモードを決定し、前記オーバレイモードのための少なくとも一つ以上のＦＡインデックスを割り当てる。そして、放送チャンネルを介して全てのＦＡに対する構成情報を放送する。
【００４４】
前記第１ＭＡＣ処理部３０６−１は、前記制御部３０８の制御に応じて上位階層（例：ＩＰ階層）から送信データをＭＡＣ階層処理し、第１送受信モデム３０４−１に伝達する。また、前記第１ＭＡＣ処理部３０６−１は、シグナリングに必要な制御メッセージを生成及び解釈する機能を行う。例えば、前記第１ＭＡＣ処理部３０６−１は、前記制御部３０８の制御の下決定されたオーバレイモードのためのＦＡに対する準備指示子メッセージ及びａｃｔｉｖｅ  ＦＡに対する準備指示子メッセージを解釈し、制御部３０８に提供する。そして、全てのＦＡの構成情報に対するＡＣＫメッセージを解釈し、制御部３０８に提供する。
【００４５】
そして、第１ＭＡＣ処理部３０６−１は、前記制御部３０８の制御に応じて第１送受信モデム３０４−１からのデータをＭＡＣ階層処理し、上位階層に伝達する。また、前記第１ＭＡＣ処理部３０６−１は、端末から受信されたＦＡに対する準備指示子メッセージ及び全てのＦＡの構成情報に対するＡＣＫメッセージを解釈し、制御部３０８に提供する。
【００４６】
前記第１送受信モデム３０４−１は、送信モードの際前記第１ＭＡＣ処理部３０６−１からのデータ（バーストデータ）を前記制御部３０８の制御の下物理階層インコーディイングして出力する。前記第１送受信モデム３０４−１は、受信モードの際前記逆多重化機３０２からの信号を物理階層デコーディングして出力する。
【００４７】
例えば、第１送受信モデム３０４−１は、チャンネル符号ブロック、変調ブロックなどを含んで構成され、前記第１ＭＡＣ処理部３０６−１からの信号を基底帯域変調して出力する。ここで、チャンネル符号ブロックは、チャンネルインコーダ、インターリーバ及び変調機などから構成され、前記変調ブロックは、送信データを多数の直交する副搬送波に乗せるためのＩＦＦＴ演算機などから構成されてもよい。そして、ＯＦＤＭＡシステムを仮定する場合、第１送受信モデム３０４−１は、前記変調ブロックは各副搬送波に乗せられたデータを抽出するためのＦＦＴ演算機などから構成され、前記チャンネル復号ブロックは、復調機、デインターリーバ、チャンネルデコーダなどから構成されてもよい。
【００４８】
前記第１ＭＡＣ処理部３０６−１と前記第１送受信モデム３０４−１はＦＡ１による通信を行うための構成であり、前記制御部３０８の制御の下動作される。一方、第ｎＭＡＣ処理部３０６−ｎと前記第ｎ送受信モデム３０４−ｎはＦＡ＿ｎによる通信を行うための構成であり、前記制御部３０８の制御の下動作される。オーバレイモードで使用されるＦＡの個数は、前記制御部３０８によって決定される。
【００４９】
多重化機３０２は、前記第１送信モデム３０４−１からの信号と前記第ｎ送信モデム３０４−ｎからの信号を多重化して出力する。そして、逆多重化機３０２は、前記制御部３０８の制御の下ＲＦ受信部３００からの信号を第１送受信モデム３０４−１乃至第ｎ送受信モデム３０４−ｎに同時に伝達するか、第１送受信モデム３０４−１乃至第ｎ送受信モデム３０４−ｎのうち選択された一つ或いは一部で出力する。
【００５０】
前記ＲＦ送信部３００は、前記多重化機３０２からの信号を実際に転送可能なＲＦ帯域の信号に変換し、アンテナを介して送信する。そして、ＲＦ受信部３００は、アンテナを介して受信された信号を基底帯域信号に変換して出力する。
【００５１】
一方、前記第１送受信モデム３０４−１乃至前記第ｎ送受信モデム３０４−ｎで行われる物理階層インコーディング方式は類似しているため、実際に前記第１送受信モデム３０４−１乃至前記第ｎ送受信モデム３０４−ｎを一つの装置として具現してもよい。
【００５２】
図４は、本発明の第１実施例による無線通信システムにおけるオーバレイモードを支援するための端末の動作を示すフローチャートである。
【００５３】
図４を説明する前に、前記オーバレイ通信システムは端末と基地局を含み、前記基地局は二つ以上のＦＡ、即ち、基本バンド（Ｐｒｉｍａｒｙ  ＦＡ）と少なくとも一つ以上のサブバンド（Ｓｅｃｏｎｄａｒｙ  ＦＡ）を運用すると仮定する。
【００５４】
また、ＦＡは基地局で利用可能なＦＡ（ａｖａｉｌａｂｌｅ  ＦＡと称する）、オーバレイモードの端末が割り当てられたＦＡ（ａｓｓｉｇｎｅｄ  ＦＡと称する）、オーバレイモードの端末が実際のデータの送受信に使用するＦＡ（ａｃｔｉｖｅ  ＦＡと称する）で構成され、前記割り当てられたＦＡと実際に使用するＦＡは同じであってもよい。或いは、前記実際に使用するＦＡは、前記割り当てられたＦＡの部分集合であってもよい。
【００５５】
図４を参照すると、端末はステップ４００で、基地局への初期ネットワーク進入の手順を行うＦＡを検索する。言い換えると、前記ＦＡの中心周波数を検索して同期を合わせる。
【００５６】
次に、前記端末はステップ４０２で、検索されたＦＡを介してネットワーク進入の手順を行う。即ち、同期及び初期レインジングの手順を行い、電力オフセット値及びタイミングオフセット値などを適切な値に設定する。
【００５７】
次に、前記端末はステップ４０４で、ネットワーク進入の手順を行う過程で基本提供能力交渉（Ｎｅｇｏｔｉａｔｅ  Ｂａｓｉｃ  Ｃａｐａｂｉｌｉｔｉｅｓ）を行う。例えば、前記端末はＳＢＣ−ＲＥＱ（ＳＳ  Ｂａｓｉｃ  Ｃａｐａｂｉｌｉｔｙ  Ｒｅｑｕｅｓｔ）メッセージ或いはＲＥＧ−ＲＥＱ（Ｒｅｇｉｓｔｒａｔｉｏｎ  Ｒｅｑｕｅｓｔ）メッセージを基地局に転送し、前記基地局からＳＢＣ−ＲＳＰ（ＳＳ  Ｂａｓｉｃ  Ｃａｐａｂｉｌｉｔｙ  Ｒｅｓｐｏｎｓｅ）メッセージ或いはＲＥＧ−ＲＳＰ（Ｒｅｇｉｓｔｒａｔｉｏｎ  Ｒｅｓｐｏｎｓｅ）メッセージを受信することで、基本提供能力交渉を行う。
【００５８】
前記基本提供能力交渉の途中、前記端末はＳＢＣ−ＲＥＱメッセージ或いはＲＥＧ−ＲＥＱメッセージを利用してオーバレイモードの支援可否を前記基地局に知らせ、前記基地局からＳＢＣ−ＲＳＰメッセージ或いはＲＥＧ−ＲＳＰメッセージを利用してオーバレイモードで使用するＦＡに対する情報を受信する。前記基本提供能力交渉におけるオーバレイモードで使用するＦＡに対する情報は、前記端末が支援可能なＦＡの個数及び前記端末が支援するオーバレイモード、前記端末が使用するＦＡインデックス情報、ＦＡ間の間隔情報（二つのＦＡ間における離れている程度）、バンドクラス（ｂａｎｄ  ｃｌａｓｓ）情報及びバンド帯域量情報のうち少なくとも一つ以上を含む。
【００５９】
前記オーバレイモードは、端末がＦＡ  ａｇｇｒｅｇａｔｉｏｎモードを支援するのか、ＦＡスイッチング（ｓｗｉｔｃｈｉｎｇ）モードを支援するのか否かや、前記端末がＰＨＹ  ｓｅｇｍｅｎｔａｔｉｏｎモードを支援するのか、ＭＡＣ  ｓｅｇｍｅｎｔａｔｉｏｎモードを支援するのか否かや、前記端末が隣接したＦＡに対してのみオーバレイモードを支援するのか、隣接していないＦＡに対してもオーバレイモードを支援するのか否かなどの情報を含む。
【００６０】
前記インデックス情報は、前記基地局内で前記ＦＡの実際のインデックス情報（ｐｈｙｓｉｃａｌ  ｃａｒｒｉｅｒ  ｉｎｄｅｘ）と前記端末にのみ適用される仮想インデックス情報（ｌｏｇｉｃａｌ  ｃａｒｒｉｅｒ  ｉｎｄｅｘ）を含んでもよい。この際、前記基地局がオーバレイモードを支援するＦＡに対する構成情報（ｃｏｎｆｉｇｕｒａｔｉｏｎ  ｉｎｆｏｒｍａｔｉｏｎ）（例：ＦＡの中心周波数、ＦＡの帯域幅、ＦＡのオフセットなど）をＳＢＣ−ＲＳＰメッセージ或いはＲＥＧ−ＲＳＰメッセージを介して前記端末に全て転送してもよいが、ＳＢＣ−ＲＳＰメッセージ或いはＲＥＧ−ＲＳＰメッセージの大きさが大きくなる。しかし、前記基地局は、多数の端末にそれぞれＳＢＣ−ＲＳＰメッセージ或いはＲＥＧ−ＲＳＰメッセージを転送することでオーバヘッドになる恐れがある。従って、前記基本提供能力交渉のうち、オーバレイモードを支援する多数のＦＡに対してＦＡインデックス情報のみを受信する。言い換えると、オーバレイモードを支援する多数のＦＡに対する構成情報は受信しない。
【００６１】
従って、前記端末はステップ４０６で前記ネットワーク進入の手順を行う途中、前記基地局が転送する全てのＦＡに対する構成情報を受信する。前記ＦＡに対する構成情報は、前記基地局で転送する放送チャンネル（或いは放送メッセージ）を介して転送されてもよい。一方、前記ＦＡに対する構成情報は、前記ＦＡの実際のインデックス情報、前記ＦＡの中心周波数（ｃｅｎｔｅｒ  ｆｒｅｑｕｅｎｃｙ）、前記ＦＡの帯域幅（ｂａｎｄｗｉｄｔｈ）、前記ＦＡのオフセット（ｏｆｆｓｅｔ）情報などが含まれてもよい。ここで、前記ＦＡインデックス情報を除いた中心周波数、帯域幅、オフセット情報のみが前記放送チャンネル（或いは放送メッセージ）に含まれてもよいが、これは前記ＦＡに対する残りのＦＡ構成情報に該当する前記ＦＡのインデックス情報を暗示的に（ｉｍｐｌｉｃｉｔｌｙ）前記端末が分かることができれば、前記ＦＡインデックス情報は前記ＦＡに対する構成情報から省略されてもよい。即ち、各ＦＡのインデックスは前記放送チャンネル（或いは放送メッセージ）に前記ＦＡのＦＡ構成情報が含まれた順番に従うようにしてもよい。
【００６２】
上述したように、前記ステップ４０４と前記ステップ４０６を介して、前記オーバレイモードを支援する端末は前記基地局との通信からどのＦＡを使用するかに対する情報と、前記使用するＦＡに対する構成情報を獲得するようになる。即ち、ステップ４０４では前記端末が使用するＦＡに対するインデックス情報など簡単な情報を獲得し、前記ＦＡに対する詳細な情報は前記ステップ４０６で基地局が放送する構成情報を介して獲得することができる。
【００６３】
前記では、基地局が放送するＦＡに対する構成情報を、前記ステップ４０４の基本提供能力交渉過程のオーバレイモード支援交渉の手順の後ステップ４０６で受信する場合に対して説明したが、前記ステップ４０６のＦＡに対する構成情報獲得は、前記ステップ４０４以前に発生してもよい。前記端末は、前記ステップ４０４の基本提供能力交渉過程のオーバレイモード支援交渉の手順の途中で交換するＳＢＣ−ＲＥＱメッセージ或いはＲＥＧ−ＲＥＱメッセージを利用し、前記ＦＡに対する構成情報メッセージを受信したことを知らせる指示子を前記基地局に転送してもよい。この際、前記基地局が前記ＦＡに対する構成情報メッセージを受信できなかったことを知らせる指示子を受信する場合、前記基地局は前記ＳＢＣ−ＲＳＰメッセージ或いはＲＥＧ−ＲＳＰメッセージを利用し、前記端末が使用するＦＡに対するインデックス情報と共に前記ＦＡの構成情報を転送してもよい。
【００６４】
他の具現によって、前記端末と前記基地局がＦＡに対する構成情報をテーブルでセーブしている際、放送メッセージを介して全てのＦＡに対する構成情報を転送する必要がない。前記端末が前記基本提供能力交渉の際決定されたオーバレイモードを支援するＦＡインデックスに該当する構成情報をテーブルから検索すればよい。
【００６５】
次に、ステップ４０８で前記端末は、前記ステップ４０４でのＦＡインデックスに該当する構成情報を前記ステップ４０６で放送メッセージを介して受信した全てのＦＡに対する構成情報から検索し、前記端末はステップ４０４で指示されたＦＡを利用してデータの送受信を行うための手順を行う。前記ステップ４０８の手順は前記ＦＡを介してネットワーク進入の手順を行うのではなく、前記ＦＡを介してデータを送受信するために同期獲得や周波数／時間／電力オフセット調整などが必要な場合、前記ＦＡに対して行うコードに基づいたレインジング動作を意味する。
【００６６】
前記端末はステップ４０８で、オーバレイモードのためのＦＡを使用する準備が整ったら前記端末はステップ４１０に進行し、前記オーバレイモードのためのＦＡを利用して前記基地局とのデータの送受信動作を行う準備が整ったことを前記基地局に知らせるシグナルを転送する。ここで、前記ＦＡを利用してオーバレイモードを行う準備が整ったことを知らせるシグナルに対する詳細な説明は、本発明の範囲を逸脱しているため省略する。
【００６７】
次に、本発明の手順を終了する。
【００６８】
図５は、本発明の第１実施例による無線通信システムにおけるオーバレイモードを支援するための基地局の動作を示すフローチャートである。
【００６９】
前記図５を参照すると、前記基地局はステップ５００で、周期的に或いはイベントトリガリングによって全てのＦＡの構成情報を放送チャンネル或いは放送メッセージを介して転送する。
【００７０】
もし、端末が全てのＦＡに対する構成情報をテーブルでセーブしている場合、前記基地局は放送メッセージを介して全てのＦＡの構成情報を放送する必要がない。
【００７１】
また、前記基地局はステップ５０２で該当端末とネットワーク進入の手順を行う途中、前記該当端末がオーバレイモードを支援する端末であることを認知すると、前記端末にオーバレイモードで使用する多数のＦＡを割り当てる。前記オーバレイモードを支援する端末を認知する手順は、前記ネットワーク進入の手順の基本提供能力交渉の手順に該当し、前記端末が転送するＳＢＣ−ＲＥＱメッセージ或いはＲＥＧ−ＲＥＱメッセージを受信することで判断することができる。前記オーバレイモードで使用する端末のＦＡ割当は、前記ＳＢＣ−ＲＥＱメッセージ或いはＲＥＧ−ＲＥＱメッセージの応答メッセージに該当するＳＢＣ−ＲＳＰメッセージ或いはＲＥＧ−ＲＳＰメッセージに含まれてもよい。また、前記基地局が転送するＳＢＣ−ＲＳＰメッセージ或いはＲＥＧ−ＲＳＰメッセージは、前記端末が使用するＦＡの割当情報（端末に割り当てたＦＡのインデックス及びＦＡの個数、端末が使用するオーバレイモードなど）と共に前記割り当てたＦＡを使用し始める時間情報を含んでもよい。
【００７２】
次に、前記基地局はステップ５０４において、前記端末から前記ステップ５０２で割り当てたＦＡを利用して前記基地局とのデータの送受信を行う準備が整ったことを知らせるシグナルを受信するのかを確認する。前記ステップ５０４において、前記基地局は前記端末からオーバレイモードのデータを送受信する準備が整ったことを知らせるシグナルを受信すると、ステップ５０６に進行して前記割り当てたＦＡを介して前記端末とのデータの送受信を行うことになる。
【００７３】
次に、本発明の手順を終了する。
【００７４】
前記図４と前記図５を利用し、前記ネットワーク進入の手順を行う途中、オーバレイモードを支援する端末が基地局から使用するＦＡを割り当てられ、前記割り当てられたＦＡに対する詳細情報を構成情報を介して獲得した後、前記割り当てられたＦＡに対する準備が整ったことを知らせる動作を説明した。即ち、前記割当あれた全てのＦＡが前記端末と基地局がデータの送受信のために実際に使用するＦＡとして動作する場合を説明した。
【００７５】
前記割り当てられた全てのＦＡを、前記端末と基地局のデータの送受信全てに使用する必要なく前記割り当てられたＦＡのうち情報に応じて使用するＦＡを前記基地局が別途に指示する場合において、前記構成情報を活用する方案について図６乃至ず７で説明する。
【００７６】
図６は、本発明の第２実施例による無線通信システムにおけるオーバレイモードを支援するための端末の動作を示すフローチャートである。
【００７７】
前記図６を参照すると、前記端末はステップ６００で前記ネットワーク進入の手順のためのＦＡを介して検索し、ネットワーク進入の手順を行う。
【００７８】
次に、前記ネットワーク進入の手順を行う途中、前記端末はステップ６０２でオーバレイモード支援交渉の手順を行い、前記基地局とのオーバレイモードで使用し得るＦＡ情報を獲得する。前記ＦＡ情報は、前記端末が支援可能なＦＡの個数及び前記端末が支援するオーバレイモード、前記端末が使用し得るＦＡインデックス情報などを含む。ここで、前記ステップ６０２は前記ステップ４０４と同じである。
【００７９】
また、前記端末はステップ６０４で、前記基地局が転送する放送チャンネル或いは放送メッセージを介して前記基地局が管理する全てのＦＡに対する構成情報を獲得する。前記ＦＡに対する構成情報は、ＦＡの実際のインデックス情報、前記ＦＡの中心周波数、ＦＡの帯域幅、ＦＡのオフセット情報などが含まれてもよい。前記ステップ６０４の基地局が管理する全てのＦＡに対する構成情報獲得の手順は、前記ステップ６０２以前に行われてもよい。
【００８０】
次に、前記構成情報を受信した端末は、ステップ６０６で前記基地局に前記構成情報を受信したことを知らせるシグナルを転送する。前記シグナルは、前記ステップ６０２のオーバレイモード支援交渉の手順で前記基地局から割り当てられたＦＡに対する使用準備が整ったことを知らせるために転送され、前記割り当てられたＦＡのうち前記基地局が実際に使用するＦＡ（即ち、ａｃｔｉｖｅ  ＦＡ）を指示する手順を行うように知らせるために転送する。
【００８１】
前記では、ステップ６０４で基地局が管理するＦＡに対する構成情報を獲得する動作を説明したが、前記基地局が管理するＦＡに対する構成情報の獲得は前記ステップ６０２以前に行われてもよい。従って、前記端末は、前記ステップ６０２のオーバレイモード支援交渉の手順で転送するＳＢＣ−ＲＥＱメッセージ或いはＲＥＧ−ＲＥＱメッセージを利用し、前記ＦＡに対する構成情報を獲得したことを知らせる指示子を送信する。前記ＳＢＣ−ＲＥＱメッセージ或いはＲＥＧ−ＲＥＱメッセージに前記ＦＡに対する構成情報を獲得したことを知らせる指示子を送信する場合、前記ステップ６０６の動作を行わなくてもよい。
【００８２】
もし、前記ステップ６０２のオーバレイモード支援交渉の手順の途中、前記ＦＡに対する構成情報を獲得できなかった場合には、これに対する指示子を前記ＳＢＣ−ＲＥＱメッセージ或いはＲＥＧ−ＲＥＱメッセージを利用して転送する。前記ＦＡに対する構成情報を獲得しなかったことを知らせる指示子を受信する場合、前記基地局は前記ＳＢＣ−ＲＳＰメッセージ或いはＲＥＧ−ＲＳＰメッセージを介して前記端末が使用するＦＡのインデックス情報と共に前記ＦＡの構成情報を転送してもよい。前記ＳＢＣ−ＲＳＰメッセージ或いはＲＥＧ−ＲＳＰメッセージに前記使用するＦＡの構成情報が含まれた場合、前記ステップ６０４を行わなくてもよい。
【００８３】
次に、前記端末はステップ６０８で、前記基地局からオーバレイモードで実際に使用するＦＡに対する割当支持を受信する。前記ステップ６０８で受信するＦＡ割当指示には、前記ＦＡのインデックス情報と前記ＦＡに対する仮想インデックス情報及び前記ＦＡの使用開始時間情報が含まれてもよい。
【００８４】
次に、前記端末はステップ６１０で受信したａｃｔｉｖｅ  ＦＡに対する情報（例:ＦＡのインデックス情報）を使用し、データを送受信する準備のための手順を行う。前記データを送受信する準備のための手順はレインジングを含んでもよい。
【００８５】
次に、前記端末はステップ６１２で指示されたａｃｔｉｖｅ  ＦＡを利用し、データを送受信する準備が完了すると前記基地局にこれを知らせるためのシグナルを転送する。前記ステップ６１２で転送するシグナルは、前記ステップ４１０で転送するシグナルと同じである。
【００８６】
図７は、本発明の第２実施例による無線通信システムにおけるオーバレイモードを支援するための基地局の動作を示すフローチャートである。
【００８７】
前記図７を参照すると、前記基地局はステップ７００で、自らが管理するＦＡの構成情報を放送メッセージ或いは放送チャンネルを介して転送する。前記基地局はステップ７０２で、オーバレイモードの端末とのネットワーク進入の手順を行う途中、前記オーバレイモードの端末が使用し得るＦＡを割り当てる。前記ステップ７０２で前記端末と前記基地局との間で交換する情報は、端末が支援可能なＦＡの個数及び前記端末のオーバレイモード、前記端末が使用し得るＦＡインデックス情報を含む。
【００８８】
前記基地局は、ステップ７０４で前記端末から前記ステップ７００で転送した構成情報を受信したことを知らせるシグナルを受信するのかを確認する。ここで、ステップ７０４で前記端末から受信するＦＡに対する構成情報の受信可否を知らせるシグナルは、前記ステップ７０２で前記端末が転送するメッセージに共に含まれるか、前記ステップ７０２のメッセージとは別途のメッセージを利用して転送される。前記ステップ７０２において、端末から受信するメッセージの中に前記ＦＡに対する構成情報を受信できなかったことを知らせる指示子が含まれた場合、前記基地局は前記ステップ７０２で前記端末に転送するメッセージを利用し、前記端末が使用するＦＡに対する構成情報を転送してもよい。
【００８９】
前記ステップ７０４において、前記端末から構成情報を受信したことを知らせるシグナルを受信した基地局は、ステップ７０６で前記端末がオーバレイモードでａｃｔｉｖｅ  ＦＡに対する情報（例：ＦＡのインデックス）を転送する。ステップ７０６で前記端末に転送するメッセージには、前記ａｃｔｉｖｅ  ＦＡのインデックス以外に、前記ａｃｔｉｖｅ  ＦＡの使用開始時間情報が含まれてもよい。
【００９０】
次に、前記基地局はステップ７０８で、前記端末から前記ステップ７０６で割り当てたａｃｔｉｖｅ  ＦＡの使用準備を知らせるシグナルを受信するのかを確認する。前記ステップ７０８において、前記端末がａｃｔｉｖｅ  ＦＡを介してデータを送受信する準備が整ったことを知らせるシグナルが受信されると、前記基地局はステップ７１０で前記ＦＡを介して前記端末とのデータを送受信する。
【００９１】
一方、前記ステップ７０６において、前記基地局が前記端末に転送するａｃｔｉｖｅ  ＦＡ情報は前記ステップ７０２で割り当てたＦＡと同じであってもよいが、前記ステップ７０２で割り当てなかった新たなＦＡをａｃｔｉｖｅ  ＦＡ情報に含んでもよい。前記ステップ７０２で割り当てなかった新しいＦＡに対する構成情報は、前記ステップ７００で基地局が転送するＦＡ構成情報を介して獲得することができる。或いは、前記ステップ７０６で前記基地局が端末に転送するメッセージには、前記新たなａｃｔｉｖｅ  ＦＡに対するインデックスと共に前記新たなＦＡに対する構成情報を転送してもよい。
【００９２】
図８は、本発明の第１実施例による無線通信システムにおけるオーバレイモードを支援するためのフローチャートである。
【００９３】
前記図８を参照すると、基地局は全てのＦＡに対する構成情報をイベントトリガリング或いは周期的に放送チャンネルを介して転送する８００。
【００９４】
また、端末と基地局は、ネットワーク進入の手順を行う間オーバレイモードを行うための交渉を行い、オーバレイモードに決定される際、オーバレイモードのためのＦＡインデックスを決定する８１０。
【００９５】
ステップ８００とステップ８１０は互いに独立した過程であり、全てのＦＡに対する構成情報を受信する前にオーバレイモードのためのＦＡインデックスを先に端末が受信してもよい。
【００９６】
次に、端末はオーバレイモードのためのＦＡインデックス及びこれに対応する構成情報を全て受信すると、前記オーバレイモードを支援するＦＡインデックスに対応するＦＡ構成情報を決定し８２０、決定されたオーバレイモードに対する準備指示子メッセージを基地局に転送する８３０。
【００９７】
次に、端末は決定されたＦＡを利用し、端末と基地局はデータの送受信を行う８４０。
【００９８】
図９は、本発明の第２実施例による無線通信システムにおけるオーバレイモードを支援するためのフローチャートである。
【００９９】
前記図９を参照すると、基地局は全てのＦＡに対する構成情報をイベントトリガリング或いは周期的に放送チャンネルを介して転送する９００。
【０１００】
また、端末と基地局は、ネットワーク進入の手順を行う間オーバレイモードを行うための交渉を行い、オーバレイモードに決定される際、オーバレイモードのためのＦＡインデックスを決定する９１０。
【０１０１】
ステップ９００とステップ９１０は互いに独立した過程であり、全てのＦＡに対する構成情報を受信する前にオーバレイモードのためのＦＡインデックスを先に端末が受信してもよい。
【０１０２】
前記端末は前記基地局から全てのＦＡに対する構成情報を受信すると、これに対するＡＣＫメッセージを基地局に転送する９２０。
【０１０３】
前記基地局は前記ＡＣＫメッセージを受信する際、ａｃｔｉｖｅ  ＦＡに対する支持メッセージを前記端末に転送し９３０、前記端末は前記ａｃｔｉｖｅ  ＦＡインデックスに対応するＦＡ構成情報を決定し９４０、前記ａｃｔｉｖｅ  ＦＡに対する準備指示子メッセージを基地局に転送する９５０。
【０１０４】
次に、端末は前記決定されたａｃｔｉｖｅ  ＦＡを利用し、端末と基地局はデータの送受信を行う９６０。
【０１０５】
図１０は、本発明の第３実施例による無線通信システムにおけるオーバレイモードを支援するためのフローチャートである。
【０１０６】
前記図１０を参照すると、基地局はステップ１０００で全てのＦＡに対する構成情報をイベントトリガリング或いは周期的に放送チャンネルを介して転送する。
【０１０７】
一方、端末はステップ１０１０で、ネットワーク進入の手順を行い得るＦＡを検索し、ステップ１０２０で検索したＦＡを介して基地局とのネットワーク進入の手順を行う。前記端末はステップ１０３０で、前記ネットワーク進入の手順を行う際、基本提供能力交渉段階の途中オーバレイモード支援情報を含むメッセージを転送する。前記ステップ１０３０のメッセージは、前記端末が支援するオーバレイモードを含む。また、前記端末が前記ステップ１０００で基地局が方法する多数のＦＡに対する構成情報を受信したのか否かを知らせる指示子情報を含んでもよい。
【０１０８】
ステップ１０４０において、端末は前記ステップ１０００で基地局が転送するＦＡに対する構成情報を受信すると、端末支援能力及び端末の要求事項によって前記ＦＡ構成情報に含まれたＦＡにうち使用可能なＦＡを選択し、前記選択したＦＡ情報を含むメッセージを前記基地局に転送する。前記ステップ１０４０で転送する前記メッセージには、前記端末が選択したＦＡのインデックス情報が含まれる。
【０１０９】
基地局はステップ１０５０で、前記ステップ１０３０とステップ１０４０で受信したオーバレイ支援能力情報と端末が使用可能なＦＡ情報及び前記基地局のＦＡ状態に基づいて前記端末に割り当てるＦＡを選択し、前記ＦＡ情報を含むメッセージを前記端末に転送する。前記ステップ１０５０で転送するメッセージは前記端末に割り当てたＦＡのインデックス情報及び前記割り当てたＦＡを使用する開始時点情報などを含む。
【０１１０】
前記ステップ１０４０と前記ステップ１０５０で転送するメッセージは、前記ステップ１０３０の基本提供能力交渉の手順で前記端末と基地局との間に転送するメッセージであるか別途のメッセージに該当する。前記ステップ１０４０とステップ１０５０のメッセージが別途のメッセージである場合、前記ステップ１０４０以降の手順は、前記基地局と前記端末との間におけるネットワーク進入の手順が終了した後で行われる。
【０１１１】
前記基地局が割り当てたＦＡ情報を受信した端末は、ステップ１０６０で前記ＦＡを利用してデータを送受信する準備が整ったことを知らせるシグナルを前記基地局に送信し、前記基地局はステップ１０７０で前記ＦＡを介して前記端末とのデータを送受信する。
【０１１２】
図１１は、本発明の第４実施例による無線通信システムにおけるオーバレイモードを支援するためのフローチャートである。
【０１１３】
前記図１１を参照すると、基地局はステップ１１００で全てのＦＡに対する構成情報をイベントトリガリング或いは周期的に放送チャンネルを介して転送する。
【０１１４】
一方、端末はステップ１１１０でネットワーク進入の手順を行い得るＦＡを検索し、ステップ１１２０で検索したＦＡを介して基地局とのネットワーク進入の手順を行う。端末はステップ１１３０で、前記ネットワーク進入の手順の基本提供能力交渉段階の途中オーバレイモード支援情報を含むメッセージを転送する。前記ステップ１１３０のメッセージは、前記端末が支援するオーバレイモード、前記端末が支援可能な帯域量情報、前記端末が支援可能なＦＡ間の間隔、前記端末が支援可能なＦＡの個数情報など、詳細なオーバレイモード支援情報を含む。また、前記端末が前記ステップ１１００で基地局が転送するＦＡに対する構成情報を受信したのか否かを知らせる指示子情報を含んでもよい。
【０１１５】
前記端末と基地局との間におけるネットワーク進入の手順が終了した後、前記基地局は前記ステップ１１３０で受信したオーバレイ支援能力情報と基地局のＦＡ状態に基づいて前記端末に割り当てるＦＡを選択し、前記端末に転送する１１４０。前記１１４０で転送するメッセージは、前記端末に割り当てたＦＡのインデックス情報及び前記割り当てたＦＡを使用する開始時点情報などを含む。また、前記ステップ１１４０で転送するメッセージは、前記割り当てたＦＡに対する構成情報を含んでもよい。
【０１１６】
前記基地局が割り当てたＦＡ情報を受信した端末は、ステップ１１５０で前記ＦＡを使用してデータを送受信する準備が整ったことを知らせるシグナルを前記基地局に送信し、前記基地局はステップ１１６０で、前記ＦＡを介して前記端末とのデータを送受信する。
【０１１７】
図１２は、本発明の第５実施例による無線通信システムにおけるオーバレイモードを支援するためのフローチャートである。
【０１１８】
前記図１２を参照すると、基地局はステップ１２００で全てのＦＡに対する構成情報をイベントトリガリング或いは周期的に放送チャンネルを介して転送する。
【０１１９】
一方、端末はステップ１２１０でネットワーク進入の手順を行い得るＦＡを検索し、ステップ１２２０で検索したＦＡを介して基地局とのネットワーク進入の手順を行う。端末はステップ１２３０で、前記ネットワーク進入の手順の基本提供能力交渉段階の途中、オーバレイモード支援情報を含むメッセージを転送する。前記ステップ１２３０のオーバレイモード支援情報は、前記端末がオーバレイモードを支援するのか否かの情報を含む。
【０１２０】
前記端末はネットワーク進入の手順が終了した後、ステップ１２４０で追加的なオーバレイモード支援能力情報を含むメッセージを基地局に転送する。ステップ１２４０のメッセージは、前記端末が支援するオーバレイモード、前記端末が支援可能な帯域量情報、前記端末が支援可能なＦＡ間の間隔、前記端末が支援可能なＦＡの個数情報など、詳細なオーバレイモード支援情報を含む。また、前記端末が前記ステップ１２００で基地局が転送するＦＡに対する構成情報を受信したのか否かを知らせる指示子情報を含んでもよい。
【０１２１】
基地局は前記ステップ１２４０で受信したオーバレイ支援能力情報と基地局のＦＡ状態に基づいて前記端末に割り当てるＦＡを選択し、前記ＦＡ情報を含むメッセージを前記端末に転送する１２５０。前記ステップ１２５０で転送するメッセージは前記端末に割り当てるＦＡのインデックス情報及び前記割り当てたＦＡを使用する開始時点情報などを含む。また、前記ステップ１２５０で転送するメッセージは、前記割り当てたＦＡに対する構成情報を含んでもよい。
【０１２２】
前記基地局が割り当てたＦＡ情報を受信した端末は、ステップ１２６０で前記ＦＡを利用してデータを送受信する準備が整ったことを知らせるシグナルを前記基地局に送信し、前記基地局はステップ１２７０で前記ＦＡを介して前記端末とのデータを送受信する。
【０１２３】
図１３は、本発明の第６実施例による無線通信システムにおけるオーバレイモードを支援するためのフローチャートである。
【０１２４】
前記図１３を参照すると、基地局はステップ１３００で、全てのＦＡに対する構成情報をイベントトリガリング或いは周期的に放送チャンネルを介して転送する。
【０１２５】
一方、端末はステップ１３１０でネットワーク進入の手順を行い得るＦＡを検索し、ステップ１３２０で検索したＦＡを介して基地局とのネットワーク進入の手順を行う。端末はステップ１３３０で、前記ネットワーク進入の手順を行う際、基本提供能力交渉段階の途中オーバレイモード支援情報を含むメッセージを転送する。前記ステップステップ１３３０のメッセージは、前記端末が支援するオーバレイモード、前記端末が支援可能な帯域量情報、前記端末が支援可能なＦＡ間の間隔、前記端末が支援可能なＦＡの個数情報などを含む。前記ステップ１３３０で端末のオーバレイモード支援情報を含むことで、前記端末と前記基地局はオーバレイモードを使用するか否かに対する交渉の手順を行う。
【０１２６】
オーバレイモードを使用すると決定した場合、端末はステップ１３４０で、前記ステップ１３００で基地局が転送する多数のＦＡ対する構成情報受信したのか否かを知らせるメッセージを転送する。前記ステップ１３４０のメッセージは、ＦＡ構成情報受信指示子情報を含み、ＭＡＣ階層制御メッセージ或いはＭＡＣ階層ヘッダ或いは他のメッセージにフィードバックされるシグナルであってもよい。
【０１２７】
前記ステップ１３４０で端末からＦＡ構成情報を受信したことを知らせるメッセージを受信した後、前記基地局はステップ１３５０で、前記ステップ１３３０で受信したオーバレイ支援能力情報と前記基地局のＦＡ状態に基づいて前記端末に割り当てるＦＡを選択し、前記ＦＡ情報を含むメッセージを前記端末に転送する。前記ステップ１３５０で転送するメッセージは、前記端末に割り当てたＦＡのインデックス情報及び前記割り当てたＦＡを使用する開始時点情報などを含む。
【０１２８】
前記基地局が割り当てたＦＡ情報を受信した端末は、ステップ１３６０で前記ＦＡを利用してデータを送受信する準備が整ったことを知らせるシグナルを前記基地局に送信し、前記基地局はステップ１３７０で、前記ＦＡを介して前記端末とのデータを送受信する。
【０１２９】
前記図１０、図１１、図１２及び図１３では、前記基地局が割り当てるＦＡが前記端末がオーバレイモード動作を行う間、前記基地局と前記端末のデータの送受信のために全て使用される場合を仮定している。もし、前記割り当てられたＦＡのうち状況に応じて使用するＦＡを前記基地局が別途に指示する場合、前記図９のステップ９３０乃至ステップ９５０が前記基地局と前記端末との間で追加に行われてもよい。
【０１３０】
一方、本発明の詳細な説明では具体的な実施例に関して説明したが、本発明の範囲を逸脱しない範囲内で多様な変形が可能であることはもちろんである。従って、本発明の範囲は説明された実施例に限って決められてはならず、後述する特許請求の範囲だけでなく、この特許請求の範囲と均等なものによって決められるべきである。
【０１３１】
上述したように、無線通信システムにおいて、基地局が放送チャンネルを介して全てのＦＡに対するそれぞれの構成情報を転送し、オーバレイモード支援交渉の手順を行う際該当ＦＡインデックスのみを転送することで、効率的に大容量のデータを送受信することができるという利点がある。
【符号の説明】
【０１３２】
２００  制御部
２０２−１乃至２０２−ｎ  第１ＭＡＣ処理部乃至第ｎＭＡＣ処理部
２０４−１乃至２０４−ｎ  第１送受信モデム乃至第ｎ送受信モデム
２０６  多重化機／逆多重化機
２０８  ＲＦ送受信部
３００  ＲＦ送受信部
３０２  多重化機／逆多重化機
３０４−１乃至３０４−ｎ  第１送受信モデム乃至第ｎ送受信モデム
３０６−１乃至３０６−ｎ  第１ＭＡＣ処理部乃至第ｎＭＡＣ処理部
３０８  制御部
【図１】
0005731480.tif 000002
【図２】
0005731480.tif 000003
【図３】
0005731480.tif 000004
【図４】
0005731480.tif 000005
【図５】
0005731480.tif 000006
【図６】
0005731480.tif 000007
【図７】
0005731480.tif 000008
【図８】
0005731480.tif 000009
【図９】
0005731480.tif 000010
【図１０】
0005731480.tif 000011
【図１１】
0005731480.tif 000012
【図１２】
0005731480.tif 000013
【図１３】
0005731480.tif 000014